【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
処理対象のネットワークリソースが属するターゲットリソースカテゴリを決定することと、
前記ターゲットリソースカテゴリにマッチするターゲットニュース情報を取得することと、
前記ターゲットニュース情報に従って、前記処理対象のネットワークリソースにサービス処理を行うことと、
を含む、サービス処理方法。
【請求項２】
前記ターゲットリソースカテゴリにマッチする前記ターゲットニュース情報を取得することは、前記ターゲットリソースカテゴリに基づいて、リソースカテゴリとニュース情報との前もって構築されたマッチング関係にクエリを行って、前記ターゲットニュース情報を取得することを含む、請求項１に記載の方法。
【請求項３】
リソースカテゴリとニュース情報との前記マッチング関係を構築することは、
予め設定された要件を満たすニュース情報を予め設定された収集期間に従ってネットワークプラットフォームから収集することと、
前記ニュース情報とリソースカテゴリライブラリの各リソースカテゴリとの間の各類似度を計算することと、
前記ニュース情報と第１の予め設定された類似条件を満たす類似度を有するリソースカテゴリを決定することと、
前記ニュース情報と前記リソースカテゴリとのマッチング関係を構築することと、
を含む、請求項２に記載の方法。
【請求項４】
前記ニュース情報と前記リソースカテゴリライブラリの各リソースカテゴリとの間の前記各類似度を計算することは、
前記ニュース情報の本文、見出し、及び、コメント情報のうちの少なくとも１種類の情報に従って、前記ニュース情報のキーワードを取得することと、
各リソースカテゴリに単語分割を行って、各リソースカテゴリの各キーワードを取得することと、
前記ニュース情報の前記キーワードと各リソースカテゴリの前記各キーワードとに基づいて、前記ニュース情報と各リソースカテゴリの間の前記各類似度を計算することと、
を含む、請求項３に記載の方法。
【請求項５】
前記ニュース情報の前記本文、前記見出し、及び、前記コメント情報のうちの前記少なくとも1種類の情報に従って、前記ニュース情報の前記キーワードを取得することは、
前記ニュース情報の前記本文、前記見出し、及び、前記コメント情報のうちの前記少なくとも1種類の情報に対してキーワード抽出を行って、本文キーワード、見出しキーワード、及び、コメントキーワードのうちの少なくとも１つを取得することと、
前記本文キーワード、前記見出しキーワード、及び、前記コメントキーワードのうちの前記少なくとも１つを組み合わせ、重複を排除して、前記ニュース情報の前記キーワードを取得することと、
を含む、請求項４に記載の方法。
【請求項６】
前記ニュース情報の前記キーワードと各リソースカテゴリの前記各キーワードとに基づいて、前記ニュース情報と各リソースカテゴリの間の前記各類似度を計算することは、
前記ニュース情報の前記キーワードの単語ベクトルと、各リソースカテゴリの前記キーワードの単語ベクトルとを取得することと、
前記ニュース情報の前記キーワードの前記単語ベクトルと各リソースカテゴリの前記キーワードの前記単語ベクトルとに基づいて、前記ニュース情報と各リソースカテゴリとの間の前記各類似度を計算することと、
を含む、請求項４または５に記載の方法。
【請求項７】
前記ターゲットリソースカテゴリにマッチする前記ターゲットニュース情報を取得することは、
ニュースコーパスの各ニュース情報と前記ターゲットリソースカテゴリとの間の類似度を計算することと、
前記ターゲットリソースカテゴリと第２の予め設定された類似条件を満たす類似度を有するニュース情報を取得して、前記ターゲットニュース情報とすることと、
を含む、請求項１に記載の方法。
【請求項８】
前記ニュースコーパスの各ニュース情報と前記ターゲットリソースカテゴリとの間の前記類似度を計算することは、
前記ターゲットリソースカテゴリに単語分割を行って、前記ターゲットリソースカテゴリのキーワードを取得することと、
各ニュース情報に関して、前記各ニュース情報の本文、見出し、及び、コメント情報のうちの少なくとも１種類の情報に基づいて、前記各ニュース情報のキーワードを取得することと、前記各ニュース情報の前記キーワードと前記ターゲットリソースカテゴリの前記キーワードとに基づいて、前記各ニュース情報と前記ターゲットリソースカテゴリとの間の類似度を計算することと、
を含む、請求項７に記載の方法。
【請求項９】
前記各ニュース情報の前記キーワードと前記ターゲットリソースカテゴリの前記キーワードとに基づいて、前記各ニュース情報と前記ターゲットリソースカテゴリの間の前記類似度を計算することは、
前記各ニュース情報の前記キーワードの単語ベクトルと、前記ターゲットリソースカテゴリの前記キーワードの単語ベクトルとを取得することと、
前記各ニュース情報の前記キーワードの前記単語ベクトルと前記ターゲットリソースカテゴリの前記キーワードの前記単語ベクトルとに基づいて、前記各ニュース情報と前記ターゲットリソースカテゴリの間の前記類似度を計算することと、
を含む、請求項８に記載の方法。
【請求項１０】
予め設定された要件を満たすニュース情報を予め設定された収集期間に従ってネットワークプラットフォームから収集することと、
前記ニュース情報とリソースカテゴリライブラリの各リソースカテゴリとの間の各類似度を計算することと、
前記ニュース情報と第１の予め設定された類似条件を満たす類似度を有するリソースカテゴリを決定することと、
前記ニュース情報と前記リソースカテゴリとのマッチング関係を構築することと、
を含む、データ処理方法。
【請求項１１】
前記ニュース情報と前記リソースカテゴリライブラリの各リソースカテゴリとの間の前記各類似度を計算することは、
前記ニュース情報の本文、見出し、及び、コメント情報のうちの少なくとも１種類の情報に従って、前記ニュース情報のキーワードを取得することと、
各リソースカテゴリに単語分割を行って、各リソースカテゴリの各キーワードを取得することと、
前記ニュース情報の前記キーワードと各リソースカテゴリの前記各キーワードに基づいて、前記ニュース情報と各リソースカテゴリの間の前記各類似度を計算することと、
を含む、請求項１０に記載の方法。
【請求項１２】
前記ニュース情報の前記本文、前記見出し、及び、前記コメント情報のうちの前記少なくとも１種類の情報に従って、前記ニュース情報の前記キーワードを取得することは、
前記ニュース情報の前記本文、前記見出し、及び、前記コメント情報のうちの前記少なくとも１種類の情報に対してキーワード抽出を行って、本文キーワード、見出しキーワード、及び、コメントキーワードのうちの少なくとも１つを取得することと、
前記本文キーワード、前記見出しキーワード、及び、前記コメントキーワードのうちの前記少なくとも１つを組み合わせ、重複を排除して、前記ニュース情報の前記キーワードを取得することと、
を含む、請求項１１に記載の方法。
【請求項１３】
前記ニュース情報の前記キーワードと各リソースカテゴリの前記各キーワードに基づいて、前記ニュース情報と各リソースカテゴリの間の前記各類似度を計算することは、
前記ニュース情報の前記キーワードの単語ベクトルと、各リソースカテゴリの前記キーワードの単語ベクトルとを取得することと
前記ニュース情報の前記キーワードの前記単語ベクトルと各リソースカテゴリの前記キーワードの前記単語ベクトルとに基づいて、前記ニュース情報と各リソースカテゴリの間の前記各類似度を計算することと、
を含む、請求項１１または１２に記載の方法。
【請求項１４】
予め設定された要件を満たすニュース情報を予め設定された収集期間に従ってネットワークプラットフォームから収集することと、
前記ニュース情報にマッチするターゲットリソースカテゴリを決定することと、
前記ターゲットリソースカテゴリのネットワークリソースにサービス処理を行うことと、
を含む、サービス処理方法。
【請求項１５】
前記ニュース情報にマッチする前記ターゲットリソースカテゴリを決定することは、
前記ニュース情報とリソースカテゴリライブラリの各リソースカテゴリとの間の各類似度を計算することと、
前記ニュース情報と第１の予め設定された類似条件を満たす類似度を有するリソースカテゴリを、ターゲットリソースカテゴリとして決定することと、
を含む、請求項１４に記載の方法。
【請求項１６】
前記ニュース情報と前記リソースカテゴリライブラリの各リソースカテゴリとの間の前記各類似度を計算することは、
前記ニュース情報の本文、見出し、及び、コメント情報のうちの少なくとも１種類の情報に従って、前記ニュース情報のキーワードを取得することと、
各リソースカテゴリに対して単語分割を行って、各リソースカテゴリの各キーワードを取得することと、
前記ニュース情報の前記キーワードと各リソースカテゴリの前記各キーワードに基づいて、前記ニュース情報と各リソースカテゴリの間の前記各類似度を計算することと、
を含む、請求項１５に記載の方法。
【請求項１７】
前記ニュース情報の前記本文、前記見出し、及び、前記コメント情報のうちの前記少なくとも１種類の情報に従って、前記ニュース情報の前記キーワードを取得することは、
前記ニュース情報の前記本文、前記見出し、及び、前記コメント情報のうちの前記少なくとも１種類の情報に対してキーワード抽出を行って、本文キーワード、見出しキーワード、及び、コメントキーワードのうちの少なくとも１つを取得することと、
前記本文キーワード、前記見出しキーワード、及び、前記コメントキーワードのうちの前記少なくとも１つを組み合わせ、重複を排除して、前記ニュース情報の前記キーワードを取得することと、
を含む、請求項１６に記載の方法。
【請求項１８】
前記ニュース情報の前記キーワードと各リソースカテゴリの前記各キーワードとに基づいて、前記ニュース情報と各リソースカテゴリの間の前記各類似度を計算することは、
前記ニュース情報の前記キーワードの単語ベクトルと、各リソースカテゴリの前記キーワードの単語ベクトルとを取得することと、
前記ニュース情報の前記キーワードの前記単語ベクトルと各リソースカテゴリの前記キーワードの前記単語ベクトルとに基づいて、前記ニュース情報と各リソースカテゴリの間の前記各類似度を計算することと、
を含む、請求項１６または１７に記載の方法。
【請求項１９】
処理対象のネットワークリソースが属するターゲットリソースカテゴリを決定するように構成された第１の決定モジュールと、
前記ターゲットリソースカテゴリにマッチするターゲットニュース情報を取得するように構成された獲得モジュールと、
前記ターゲットニュース情報に従って、前記処理対象のネットワークリソースにサービス処理を行うように構成されたサービスモジュールと、
を含む、サービス処理装置。
【請求項２０】
前記獲得モジュールは、詳細には、前記ターゲットリソースカテゴリに基づいて、リソースカテゴリとニュース情報との間の前もって構築されたマッチング関係にクエリを行って、前記ターゲットニュース情報を取得するように構成される、請求項１９に記載の装置。
【請求項２１】
予め設定された要件を満たすニュース情報を予め設定された収集期間に従ってネットワークプラットフォームから収集するように構成された収集モジュールと、
前記ニュース情報とリソースカテゴリライブラリの各リソースカテゴリとの間の各類似度を計算するように構成された計算モジュールと、
前記ニュース情報と第１の予め設定された類似条件を満たす類似度を有するリソースカテゴリを決定するように構成された第２の決定モジュールと、
前記ニュース情報と前記決定されたリソースカテゴリとのマッチング関係を構築するように構成された構築モジュールと、
をさらに含む、請求項２０に記載の装置。
【請求項２２】
前記計算モジュールは、
前記ニュース情報の本文、見出し、及び、コメント情報のうちの少なくとも１種類の情報に従って、前記ニュース情報のキーワードを取得するように構成された獲得ユニットと、
各リソースカテゴリに単語分割を行って、各リソースカテゴリの各キーワードを取得するように構成された単語分割ユニットと、
前記ニュース情報の前記キーワードと各リソースカテゴリの前記各キーワードとに基づいて、前記ニュース情報と各リソースカテゴリの間の前記各類似度を計算するように構成された計算ユニットと、
を含む、請求項２１に記載の装置。
【請求項２３】
前記獲得ユニットは、詳細には、
前記ニュース情報の前記本文、前記見出し、及び、前記コメント情報のうちの前記少なくとも１種類の情報に対してキーワード抽出を行って、本文キーワード、見出しキーワード、及び、コメントキーワードのうちの少なくとも１つを取得し、且つ、
前記本文キーワード、前記見出しキーワード、及び、前記コメントキーワードのうちの前記少なくとも１つを組み合わせ、重複を排除して、前記ニュース情報の前記キーワードを取得する
ように構成される、請求項２２に記載の装置。
【請求項２４】
前記計算ユニットは、詳細には、
前記ニュース情報の前記キーワードの単語ベクトルと各リソースカテゴリの前記キーワードの単語ベクトルとを取得し、且つ、
前記ニュース情報の前記キーワードの前記単語ベクトルと各リソースカテゴリの前記キーワードの前記単語ベクトルとに基づいて、前記ニュース情報と各リソースカテゴリの間の前記各類似度を計算する、
ように構成される、請求項２２または２３に記載の装置。
【請求項２５】
前記獲得モジュールは、詳細には、
ニュースコーパスの各ニュース情報と前記ターゲットリソースカテゴリとの間の類似度を計算し、且つ、
前記ターゲットリソースカテゴリと第２の予め設定された類似条件を満たす類似度を有するニュース情報を取得して、前記ターゲットニュース情報とする
ように構成される、請求項１９に記載の装置。
【請求項２６】
前記獲得モジュールは、詳細には、
前記ターゲットリソースカテゴリに対して単語分割を行って、前記ターゲットリソースカテゴリのキーワードを取得し、且つ、
各ニュース情報に関して、前記各ニュース情報の本文、見出し、及び、コメント情報のうちの少なくとも１種類の情報に基づいて、前記各ニュース情報のキーワードを取得し、前記各ニュース情報の前記キーワードと前記ターゲットリソースカテゴリの前記キーワードとに基づいて、前記各ニュース情報と前記ターゲットリソースカテゴリの間の類似度を計算する
ように構成される、請求項２５に記載の装置。
【請求項２７】
前記獲得モジュールは、詳細には、
前記各ニュース情報の前記キーワードの単語ベクトルと前記ターゲットリソースカテゴリの前記キーワードの単語ベクトルとを取得し、且つ、
前記各ニュース情報の前記キーワードの前記単語ベクトルと前記ターゲットリソースカテゴリの前記キーワードの前記単語ベクトルとに基づいて、前記各ニュース情報と前記ターゲットリソースカテゴリの間の類似度を計算するように、
構成される、請求項２６に記載の装置。
【請求項２８】
予め設定された要件を満たすニュース情報を予め設定された収集期間に従ってネットワークプラットフォームから収集するように構成された収集モジュールと、
前記ニュース情報とリソースカテゴリライブラリの各リソースカテゴリとの間の各類似度を計算するように構成された計算モジュールと、
前記ニュース情報と第１の予め設定された類似条件を満たす類似度を有するリソースカテゴリとを決定するように構成された決定モジュールと、
前記ニュース情報と前記決定されたリソースカテゴリとのマッチング関係を構築するように構成された構築モジュールと、
を含む、データ処理装置。
【請求項２９】
前記計算モジュールは、
前記ニュース情報の本文、見出し、及び、コメント情報のうちの少なくとも１種類の情報に従って、前記ニュース情報のキーワードを取得するように構成された獲得ユニットと、
各リソースカテゴリに単語分割を行って、各リソースカテゴリの各キーワードを取得するように構成された単語分割ユニットと、
前記ニュース情報の前記キーワードと各リソースカテゴリの前記各キーワードとに基づいて、前記ニュース情報と各リソースカテゴリの間の前記各類似度を計算するように構成された計算ユニットと、
を含む、請求項２８に記載の装置。
【請求項３０】
前記獲得ユニットは、詳細には、
前記ニュース情報の前記本文、前記見出し、及び、前記コメント情報のうちの前記少なくとも１種類の情報に対してキーワード抽出を行って、本文キーワード、見出しキーワード、及び、コメントキーワードのうちの少なくとも１つを取得し、且つ、
前記本文キーワード、前記見出しキーワード、及び、前記コメントキーワードのうちの前記少なくとも１つを組み合わせ、重複を排除して、前記ニュース情報の前記キーワードを取得する
ように構成される、請求項２９に記載の装置。
【請求項３１】
前記計算ユニットは、詳細には、
前記ニュース情報の前記キーワードの単語ベクトルと各リソースカテゴリの前記キーワードの単語ベクトルとを取得し、且つ、
前記ニュース情報の前記キーワードの前記単語ベクトルと各リソースカテゴリの前記キーワードの前記単語ベクトルとに基づいて、前記ニュース情報と各リソースカテゴリの間の前記各類似度を計算する
ように構成される、請求項２９に記載の装置。
【請求項３２】
予め設定された要件を満たすニュース情報を予め設定された収集期間に従ってネットワークプラットフォームから収集するように構成された収集モジュールと、
前記ニュース情報にマッチするターゲットリソースカテゴリを決定するように構成された決定モジュールと、
前記ターゲットリソースカテゴリのネットワークリソースにサービス処理を行うように構成されたサービスモジュールと、
を含む、サービス処理装置。
【請求項３３】
前記決定モジュールは、
前記ニュース情報とリソースカテゴリライブラリの各リソースカテゴリとの間の各類似度を計算するように構成された計算ユニットと、
前記ニュース情報と第１の予め設定された類似条件を満たす類似度を有するターゲットリソースカテゴリを決定するように構成された決定ユニットと、
を含む、請求項３２に記載の装置。
【請求項３４】
前記計算ユニットは、詳細には、
前記ニュース情報の本文、見出し、及び、コメント情報のうちの少なくとも１種類の情報に従って、前記ニュース情報のキーワードを取得し、
各リソースカテゴリに単語分割を行って、各リソースカテゴリの各キーワードを取得し、且つ、
前記ニュース情報の前記キーワードと各リソースカテゴリの前記各キーワードとに基づいて、前記ニュース情報と各リソースカテゴリの間の前記各類似度を計算するように
構成される、請求項３３に記載の装置。
【請求項３５】
前記計算ユニットは、詳細には、
前記ニュース情報の前記本文、前記見出し、及び、前記コメント情報のうちの前記少なくとも１種類の情報に対してキーワード抽出を行って、本文キーワード、見出しキーワード、及び、コメントキーワードのうちの少なくとも１つを取得し、且つ、
前記本文キーワード、前記見出しキーワード、及び、前記コメントキーワードのうちの前記少なくとも１つを組み合わせ、重複を排除して、前記ニュース情報の前記キーワードを取得する
ように構成される、請求項３４に記載の装置。
【請求項３６】
前記計算ユニットは、詳細には、
前記ニュース情報の前記キーワードの単語ベクトルと各リソースカテゴリの前記キーワードの単語ベクトルとを取得し、且つ、
前記ニュース情報の前記キーワードの前記単語ベクトルと各リソースカテゴリの前記キーワードの前記単語ベクトルとに基づいて、前記ニュース情報と各リソースカテゴリの間の前記各類似度を計算する
ように構成される、請求項３４または３５に記載の装置。